(57)【要約】  本明細書で説明される態様は、チャネルフィードバックを要求および／または報告することに関する。チャネルフィードバックを求める要求は、アクセスポイントによって生成され、ここで、要求は、第２のフォーマットとは異なる第１のフォーマットを要求が使用することを特定するインジケータを含み、インジケータは、第２のフォーマットによって定義された局（ＳＴＡ）情報フィールドのビットに対応する。チャネルフィードバックを求める要求を、アクセスポイントが送信することができ、かつＳＴＡが受信することができる。
2019517177.tif 000002
【特許請求の範囲】
【請求項１】
チャネルフィードバックを要求するための装置であって、
チャネルフィードバック命令を記憶するメモリと、
前記メモリに結合された少なくとも１つのプロセッサと、
を備え、ここにおいて、前記少なくとも１つのプロセッサは、
チャネルフィードバックを求める要求を生成することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
チャネルフィードバックを求める前記要求をＳＴＡに送信することと、
前記ＳＴＡからチャネルフィードバックを受信することと
を行うための前記チャネルフィードバック命令を実行するように構成される、装置。
【請求項２】
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、請求項１に記載の装置。
【請求項３】
前記少なくとも１つのプロセッサは、前記インジケータに基づいて超高スループット（ＶＨＴ）ＳＴＡが前記要求を受信することを避けるために、前記第２のフォーマットを使用して通信する少なくとも１つの前記ＶＨＴ ＳＴＡに、前記アソシエーション識別子のうちの少なくとも１つを割り当てるための前記チャネルフィードバック命令を実行するようにさらに構成される、請求項２に記載の装置。
【請求項４】
前記少なくとも１つのプロセッサは、前記要求が前記第１のフォーマットのものであることを示すサウンディングダイアログトークンを前記要求に含むように、チャネルフィードバックを求める前記要求を生成するための前記チャネルフィードバック命令を実行するようにさらに構成される、請求項１に記載の装置。
【請求項５】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項４に記載の装置。
【請求項６】
前記少なくとも１つのプロセッサは、前記チャネルフィードバックが要求される部分帯域幅を示すために、チャネルフィードバックを求める前記要求を生成するための前記チャネルフィードバック命令を実行するように構成される、請求項１に記載の装置。
【請求項７】
前記要求は、始点リソースユニットおよび終点リソースユニットとして前記部分帯域幅を示す、請求項６に記載の装置。
【請求項８】
前記少なくとも１つのプロセッサは、前記チャネルフィードバックを表す行列についてのトーングループ化を示すトーングループ化ファクタを特定するために、チャネルフィードバックを求める前記要求を生成するための前記チャネルフィードバック命令を実行するように構成される、請求項１に記載の装置。
【請求項９】
前記少なくとも１つのプロセッサは、前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限するための前記チャネルフィードバック命令を実行するようにさらに構成される、請求項１に記載の装置。
【請求項１０】
チャネルフィードバックを要求するための方法であって、
アクセスポイントによって、チャネルフィードバックを求める要求を生成することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
前記アクセスポイントによって、チャネルフィードバックを求める前記要求をＳＴＡに送信することと、
前記アクセスポイントによって、前記ＳＴＡから、前記要求に基づいてチャネルフィードバックを受信することと
を備える、方法。
【請求項１１】
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、請求項１０に記載の方法。
【請求項１２】
前記インジケータに基づいて超高スループット（ＶＨＴ）ＳＴＡが前記要求を受信することを避けるために、前記第２のフォーマットを使用して通信する少なくとも１つの前記ＶＨＴ ＳＴＡに、前記アソシエーション識別子のうちの少なくとも１つを割り当てることをさらに備える、請求項１１に記載の方法。
【請求項１３】
前記要求が前記第１のフォーマットのものであることを示すサウンディングダイアログトークンを前記要求に含むように、チャネルフィードバックを求める前記要求を生成することをさらに備える、請求項１０に記載の方法。
【請求項１４】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項１３に記載の方法。
【請求項１５】
チャネルフィードバックを求める前記要求は、前記チャネルフィードバックが要求される部分帯域幅を含む、請求項１０に記載の方法。
【請求項１６】
前記要求は、始点リソースユニットおよび終点リソースユニットとして前記部分帯域幅を示す、請求項１５に記載の方法。
【請求項１７】
チャネルフィードバックを求める前記要求は、前記チャネルフィードバックを表す行列についてのトーングループ化を示すトーングループ化ファクタを特定する、請求項１０に記載の方法。
【請求項１８】
前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限することをさらに備える、請求項１０に記載の方法。
【請求項１９】
チャネルフィードバックを報告するための装置であって、
チャネルフィードバック命令を記憶するメモリと、
前記メモリに結合された少なくとも１つのプロセッサと、
を備え、ここにおいて、前記少なくとも１つのプロセッサは、
チャネルフィードバックを報告するための要求を受信することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
前記要求から、チャネル帯域幅の一部分についての前記チャネルフィードバックを報告することに関連した１つまたは複数のパラメータを決定することと、
前記１つまたは複数のパラメータに基づいて前記チャネルフィードバックを生成することと、
前記要求に応答して前記チャネルフィードバックを送信することと
を行うための前記チャネルフィードバック命令を実行するように構成される、装置。
【請求項２０】
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、請求項１９に記載の装置。
【請求項２１】
前記少なくとも１つのプロセッサは、前記要求におけるサウンディングダイアログトークン中のビットに少なくとも部分的に基づいて前記要求が前記第１のフォーマットのものであることを決定するための前記チャネルフィードバック命令を実行するようにさらに構成される、請求項１９に記載の装置。
【請求項２２】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項２１に記載の装置。
【請求項２３】
前記少なくとも１つのパラメータは、前記チャネルフィードバックを報告するための部分帯域幅を示し、ここにおいて、前記少なくとも１つのプロセッサは、前記部分帯域幅についての前記チャネルフィードバックを決定することに少なくとも部分的に基づいて、前記チャネルフィードバックを生成するための前記チャネルフィードバック命令を実行するように構成される、請求項１９に記載の装置。
【請求項２４】
前記要求は、前記部分帯域幅の始点リソースユニットおよび終点リソースユニットを示す、請求項２３に記載の装置。
【請求項２５】
前記要求は、前記チャネルフィードバックを報告するためのトーングループ化ファクタを示し、前記少なくとも１つのプロセッサは、前記トーングループ化ファクタに基づいて前記チャネル帯域幅中のサブキャリアの一部分についての前記チャネルフィードバックを生成するための前記チャネルフィードバック命令を実行するように構成される、請求項１９に記載の装置。
【請求項２６】
チャネルフィードバックを報告するための方法であって、
局（ＳＴＡ）によって、アクセスポイントから、チャネルフィードバックを報告するための要求を受信することと、ここにおいて、前記要求は、第２のフォーマットとは異なる第１のフォーマットを前記要求が使用することを特定するインジケータを含み、前記インジケータは、前記第２のフォーマットによって定義されたＳＴＡ情報フィールドのビットに対応し、
前記ＳＴＡによっておよび前記要求から、チャネル帯域幅の一部分についての前記チャネルフィードバックを報告することに関連した１つまたは複数のパラメータを決定することと、
前記ＳＴＡによって、前記１つまたは複数のパラメータに基づいて前記チャネルフィードバックを生成することと、
前記ＳＴＡによって、前記アクセスポイントに、前記要求に応答して前記チャネルフィードバックを送信することと、
を備える、方法。
【請求項２７】
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、請求項２６に記載の方法。
【請求項２８】
前記要求におけるサウンディングダイアログトークン中のビットに少なくとも部分的に基づいて前記要求が前記第１のフォーマットのものであることを決定することをさらに備える、請求項２６に記載の方法。
【請求項２９】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項２８に記載の方法。
【請求項３０】
前記少なくとも１つのパラメータは、前記チャネルフィードバックを報告するための部分帯域幅を示し、ここにおいて、前記チャネルフィードバックを生成することは、前記部分帯域幅についての前記チャネルフィードバックを決定することに少なくとも部分的に基づく、請求項２６に記載の方法。
【発明の詳細な説明】
【関連出願の相互参照】
【０００１】
[0001]  本特許出願は、２０１７年４月１０日に出願された「TECHNIQUES FOR REPORTING CHANNEL FEEBACK IN WIRELESS COMMUNICATIONS」と題された米国非仮出願第１５／４８３，６７２号、および２０１６年４月１３日に出願された「TECHNIQUES FOR REPORTING CHANNEL FEEDBACK IN WIRELESS COMMUNICATIONS」と題された仮出願第６２／３２２，１９６号に対する優先権を主張し、これらは、本明細書の譲受人に譲渡され、あらゆる目的のために本明細書に参照により明示的に組み込まれている。
【背景技術】
【０００２】
[0002]  本開示の態様は、概して、電気通信に関し、より具体的には、ワイヤレスローカルエリアネットワーク（ＷＬＡＮ）におけるチャネルフィードバックを報告するための技法に関する。
【０００３】
[0003]  家庭、オフィス、および様々な公共施設でのＷＬＡＮの配置は、今日、極めて一般的なものとなった。このようなネットワークは通常、特定の場所（a specific locality）（例えば、家庭、オフィス、公共施設など）におけるいくつかのワイヤレス局（ＳＴＡ）を、インターネットなどのような別のネットワークに接続するワイヤレスアクセスポイント（ＡＰ）を用いる。ＡＰは、ＳＴＡに対する通信の品質をそのＡＰが改善することを可能にするために、ワイヤレスチャネルのチャネルフィードバックをＳＴＡが提供することを要求することができる。ＡＰは、ＡＰによるヌルデータパケット（ＮＤＰ：null data packet）の送信を示すためのヌルデータパケット告知（ＮＤＰＡ：null data packet announcement）として、ＳＴＡにチャネルフィードバックを求める要求を開始することができ、それをＳＴＡはチャネルフィードバックを決定するために受信および使用することができる。ＮＤＰＡは、要求されたチャネルフィードバックに関するある特定の情報を含むことができる。ＮＤＰＡを送った後、ＡＰはＮＤＰを送り、１つまたは複数のサブキャリアにおいてそのＮＤＰの関連する電力（power）、位相シフトなどを決定するために、ＮＤＰに基づいてＳＴＡによって受信されるような１つまたは複数のサブキャリアを処理することによってチャネルフィードバック行列を計算するために、ＳＴＡがそれを受信および使用する。ＳＴＡは、空間ストリームのセットにわたり（over）１つまたは複数のサブキャリアについての行列回転（例えば、ギブンズ回転）を表す角度のセットを示すために、チャネルフィードバック行列を圧縮することができる。ＡＰは、その圧縮されたチャネルフィードバック行列を受信し、ＳＴＡへのビームフォーミングを改善するために送信アンテナを介した送信をステアリングするためのステアリング行列を決定することができる。
【発明の概要】
【０００４】
[0004]  以下は、１つまたは複数の態様の基本的理解を提供するために、そのような態様の簡略化された概要を提示する。この概要は、すべての予期された態様の包括的な概観ではなく、すべての態様の主要または重要な要素を識別することも、いずれかまたはすべての態様の範囲を定めることも意図しない。その唯一の目的は、後で提示するより詳細な説明の導入として、１つまたは複数の態様のいくつかの概念を簡略化された形で提示することである。
【０００５】
[0005]  一態様に従って、チャネルフィードバックを要求するための装置は、チャネルフィードバック命令を記憶するメモリと、メモリに結合された少なくとも１つのプロセッサとを含む。少なくとも１つのプロセッサは、チャネルフィードバックを求める要求を生成することを行うためのチャネルフィードバック命令を実行するように構成され、ここで、要求は、第２のフォーマットとは異なる第１のフォーマットを要求が使用することを特定するインジケータを含み、インジケータは、第２のフォーマットによって定義された局（ＳＴＡ）情報フィールドのビットに対応する。少なくとも１つのプロセッサはまた、チャネルフィードバックを求める要求をＳＴＡに送信することと、ＳＴＡからチャネルフィードバックを受信することと、を行うためのチャネルフィードバック命令を実行するように構成される。
【０００６】
[0006]  別の態様では、チャネルフィードバックを要求するための方法は、アクセスポイントによって、チャネルフィードバックを求める要求を生成することを含み、ここで、要求は、第２のフォーマットとは異なる第１のフォーマットを要求が使用することを特定するインジケータを含み、インジケータは、第２のフォーマットによって定義されたＳＴＡ情報フィールドのビットに対応する。方法はまた、アクセスポイントによって、チャネルフィードバックを求める要求をＳＴＡに送信することと、アクセスポイントによって、ＳＴＡから、要求に基づいてチャネルフィードバックを受信することと、を含む。
【０００７】
[0007]  別の態様に従って、チャネルフィードバックを報告するための装置は、チャネルフィードバック命令を記憶するメモリと、メモリに結合された少なくとも１つのプロセッサとを含む。少なくとも１つのプロセッサは、チャネルフィードバックを報告するための要求を受信することを行うためのチャネルフィードバック命令を実行するように構成され、ここで、要求は、第２のフォーマットとは異なる第１のフォーマットを要求が使用することを特定するインジケータを含み、インジケータは、第２のフォーマットによって定義されたＳＴＡ情報フィールドのビットに対応する。少なくとも１つのプロセッサはまた、要求から、チャネル帯域幅の一部分についてのチャネルフィードバックを報告することに関連した１つまたは複数のパラメータを決定することと、１つまたは複数のパラメータに基づいてチャネルフィードバックを生成することと、要求に応答してチャネルフィードバックを送信することと、を行うように構成される。
【０００８】
[0008]  別の態様では、チャネルフィードバックを報告するための方法は、ＳＴＡによって、アクセスポイントから、チャネルフィードバックを報告するための要求を受信することを含み、ここで、要求は、第２のフォーマットとは異なる第１のフォーマットを要求が使用することを特定するインジケータを含み、インジケータは、第２のフォーマットによって定義されたＳＴＡ情報フィールドのビットに対応する。方法はまた、ＳＴＡによっておよび要求から、チャネル帯域幅の一部分についてのチャネルフィードバックを報告することに関連した１つまたは複数のパラメータを決定することと、ＳＴＡによって、１つまたは複数のパラメータに基づいてチャネルフィードバックを生成することと、ＳＴＡによって、アクセスポイントに、要求に応答してチャネルフィードバックを送信することと、を含む。
【０００９】
[0009]  様々な態様および特徴は、添付の図面に示されるように、それらの様々な例を参照して下記にさらに詳細に説明される。本願の態様は、下記で様々な例を参照して説明されるが、本願の態様はそれらに制限されないことが理解されるべきである。本明細書の教示を利用できる当業者は、追加の実装、修正、および例、並びに、他の使用分野を認識することになり、これらは、本明細書に説明されるような本願の態様の範囲内にあり、本願の態様が著しく実用的であり得ることに関連する。
【図面の簡単な説明】
【００１０】
[0010]  本願の態様の特徴、本質、および利点は、同様の参照文字が全体を通した対応を示し、そこで破線が任意のコンポーネントまたはアクションを示し得る図面と共に考慮されるとき、下記に記載する詳細な説明のセットからより明確になるだろう。
【図１】[0011]  図１は、ワイヤレスローカルエリアネットワーク（ＷＬＡＮ）配置の例を例示する概念図である。
【図２】[0012]  図２は、本明細書で説明される様々な態様に従った、ＷＬＡＮにおけるチャネルフィードバックを要求するためのアクセスポイントの態様を含む、通信ネットワークの例の概略図である。
【図３】[0013]  図３は、本明細書で説明される様々な態様に従った、ＷＬＡＮにおけるチャネルフィードバックを生成するためのワイヤレス局の態様を含む通信ネットワークの例の概略図である。
【図４】[0014]  図４は、チャネルフィードバック要求のための例となるフォーマットを例示する図である。
【図５】[0015]  図５は、本明細書で説明される様々な態様に従った、チャネルフィードバックを要求する方法の例を例示するフロー図である。
【図６】[0016]  図６は、本明細書で説明される様々な態様に従った、チャネルフィードバックを報告する方法の例を例示するフロー図である。
【詳細な説明】
【００１１】
[0017]  添付の図面に関して下記に示す詳細な説明は、様々な構成の説明であると意図され、本明細書で説明する概念が実施され得る唯一の構成を表すことを意図するものではない。詳細な説明は、様々な概念の完全な理解を提供する目的で具体的な詳細を含む。しかしながら、これらの概念はこれらの具体的な詳細なしに実施され得ることが当業者には明らかであろう。いくつかの例では、そのような概念を曖昧にすることを避けるために、周知のコンポーネントがブロック図の形式で示される。一態様では、本明細書で使用される「コンポーネント」という用語は、システムを構成する部分のうちの１つであり得、ハードウェアまたはソフトウェアであり得、他のコンポーネントに分割され得る。
【００１２】
[0018]  特定の開示される態様を対象とする以下の説明および関連する図面において、複数の態様が提供される。本開示で説明される態様の範囲から逸脱することなく、代替の態様が考案され得る。加えて、周知の態様は、より関連性のある詳細を曖昧にしないために、詳細には説明されない可能性があるか、または省略され得る。さらに、多くの態様は、例えば、コンピューティングデバイスの要素によって行われる一連のアクションの観点から説明される。本明細書に説明される様々なアクションは、特定の回路（例えば、特定用途向け集積回路（ＡＳＩＣ））によって、１つまたは複数のプロセッサによって実行されるプログラム命令によって、またはその両方の組合せによって行われ得ることが認識されるだろう。加えて、本明細書で説明されるこれら一連のアクションは、実行時に、関連するプロセッサに本明細書で説明される機能を行わせるコンピュータ命令の対応するセットを記憶した任意の形式のコンピュータ可読記憶媒体内で、完全に実現されると考えられることができる。よって、様々な態様は、いくつかの異なる形態で実現され得、これらのすべては、特許請求された主題の範囲内のものであることが意図されている。加えて、本明細書で説明される態様の各々に関して、任意のそのような態様のうちの対応する形態は、例えば、説明されるアクションを行う「ように構成される論理」として本明細書で説明され得る。
【００１３】
[0019]  本願の態様は、概して、チャネルフィードバックを報告する際の効率を改善するために、チャネルフィードバックを求める要求における追加の情報を含むこと、および処理することに関する。一例では、（例えば、アクセスポイント（ＡＰ）からの）チャネルフィードバックを求める要求に対して新規のフォーマットが提供され、ここで、そのフォーマットは、要求されたチャネルフィードバックの粒度を特定するための１つまたは複数のパラメータを示すことを可能にすることができ、それは、ワイヤレス局（ＳＴＡ）によって報告されるチャネルフィードバック行列のサイズに影響を及ぼすことができる。例えば、チャネルフィードバックを求める要求は、チャネルフィードバックが要求される部分帯域幅を示し得、それは、ＡＰとＳＴＡとの間のチャネルの実際の帯域幅未満であり得る。別の例では、チャネルフィードバックを求める要求は、サブキャリアの一部分についてのチャネルフィードバックを要求するためのトーングループ化ファクタを示し得る。両方のパラメータは、ＡＰに報告するためのより小さいチャネルフィードバック行列をＳＴＡが生成することを可能にし得る。具体的な例では、新規のフォーマットおよび／または追加のパラメータは、ワイヤレスローカルエリアネットワーク（ＷＬＡＮ）通信におけるヌルデータパケット告知（ＮＤＰＡ）に関し得る。新規のフォーマットおよび／または追加のパラメータは、例えば、ＮＤＰＡの既存の構造を修正し得、それは、レガシＳＴＡに、ＮＤＰＡを適切に解釈することを行わせない可能性がある。
【００１４】
[0020]  さらなる態様は、レガシＳＴＡへのＮＤＰＡの新規のフォーマットの影響を軽減することに関する。レガシＳＴＡ（一例として、超高スループット（ＶＨＴ：Very High Throughput）ＳＴＡとも本明細書で呼ばれる）は、新規のＮＤＰＡフォーマットを処理するようには構成されていないＳＴＡであり得る。例えば、追加されたパラメータに基づいてＮＤＰＡの長さが増加しているために、レガシＳＴＡはＮＤＰＡにおいてそれのアソシエーション識別子（ＡＩＤ）を検出し得るが、そのＮＤＰＡは、レガシＳＴＡのためのものではない可能性がある。この発生を避けるために、一例では、ＡＰは、ＡＩＤがレガシＳＴＡ ＡＩＤとマッチしないとき、そのレガシＳＴＡによって構文解析される（parsed）こととなる任意のバイトを保証（ensure）することができる。例えば、ＡＰは、ＳＴＡ情報フィールドの第１のバイトとしてレガシＳＴＡによって解釈されることとなる任意のバイトの最上位ビット（ＭＳＢ）を１に設定することができ、ここで、レガシＳＴＡは、ＡＩＤの第１のバイトにおいて０を予測し得る。同様に、一例では、ＡＰは、ＳＴＡ情報フィールドの第１のバイトとしてレガシＳＴＡによって解釈されることとなる任意のバイトのＭＳＢを、（例えば、これに関してレガシＳＴＡに割り当てられたＡＩＤをさらに制限することによって）任意の対応するレガシＳＴＡ ＡＩＤとマッチしないように設定し得る。よって、例えば、ＮＤＰＡの新規のフォーマットを受信するレガシＳＴＡは、ＳＴＡ ＡＩＤフィールドのＭＳＢにおいて１に遭遇し得、それに応じてＮＤＰＡを無視し得る。別の例では、ＡＰは、新規のフォーマットが使用されていることを示すためにＮＤＰＡのＳＴＡ情報フィールドにおいて特定された新規のフレーム制御フィールド値を使用し得、新規のフォーマットを解釈することが可能な高効率（ＨＥ）ＳＴＡは、新規のフォーマットがフレーム制御フィールド値に基づいて使用されることを決定し得る。別の例では、ＡＰは、ＨＥ ＳＴＡに知られている修正されたバイトまたはさらなるバイト（extra byte）を使用して、ＮＤＰＡにサイクリック冗長検査（ＣＲＣ）を適用することができ、それは、ＨＥ ＳＴＡが正しい値を用いてＣＲＣを行うために修正されることができる。この例では、レガシＳＴＡに関してはＣＲＣが失敗する可能性があり、よって、レガシＳＴＡは、新規のフォーマットのＮＤＰＡを処理しない可能性がある。さらに別の例では、ＡＰは、複数のＳＴＡ情報フィールドにおいて追加パラメータを示すために、レガシＮＤＰＡフォーマットを使用し得る。代替として、レガシＳＴＡは、ＮＤＰＡを受信し、かつＮＤＰＡを不適切に処理し得るが、それは、レガシＳＴＡがその後ＡＰからの関連付けされたＮＤＰを認識することができない可能性があるため、それほど問題にはならない可能性がある。
【００１５】
[0021]  図１は、本明細書で説明される様々な技法に関連した、ワイヤレスローカルエリアネットワーク（ＷＬＡＮ）配置の例を図示するワイヤレス通信システム１００である。ＷＬＡＮ配置は、それぞれのＡＰと関連付けられた１つまたは複数のアクセスポイント（ＡＰ）および１つまたは複数のワイヤレス局（ＳＴＡ）を含み得る。この例では、説明のために配置された、ベーシックサービスセット１（ＢＳＳ１）中のＡＰ１ １０５−ａと、ＢＳＳ２中のＡＰ２ １０５−ｂとの２つのＡＰのみが存在する。ＡＰ１ １０５−ａは、少なくとも２つの関連付けされたＳＴＡ（ＳＴＡ１ １１５−ａ、ＳＴＡ２ １１５−ｂ、ＳＴＡ４ １１５−ｄ、およびＳＴＡ５ １１５−ｅ）およびカバレッジエリア１１０−ａを有することを示しており、一方ＡＰ２ １０５−ｂは、少なくとも２つの関連付けされたＳＴＡ（ＳＴＡ１ １１５−ａおよびＳＴＡ３ １１５−ｃ）およびカバレッジ１１０−ｂを有することを示している。図１の例では、ＡＰ１ １０５−ａのカバレッジエリアは、ＳＴＡ１ １１５−ａが複数のカバレッジエリアのオーバラップ部分内にあるように、ＡＰ２ １０５−ｂのカバレッジエリアの一部とオーバラップしている。ＢＳＳ、ＡＰ、およびＳＴＡの数、並びに、図１のＷＬＡＮ配置に関連して説明されるＡＰのカバレッジエリアは、実例として提供され、それに制限されるものではない。さらに、本明細書で説明される様々な技法の態様は、それほど制限される必要はないが、図１の例となるＷＬＡＮ配置に少なくとも部分的に基づいている。
【００１６】
[0022]  図１に示されるＡＰ（例えば、ＡＰ１ １０５−ａおよびＡＰ２ １０５−ｂ）は、概して、それのカバレッジエリアまたは領域内のＳＴＡにバックホールサービスを提供する固定された端末である。しかしながら、いくつかのアプリケーションでは、ＡＰはモバイルまたは固定されていない端末であり得る。図１で示されるＳＴＡ（例えば、ＳＴＡ１ １１５−ａ、ＳＴＡ２ １１５−ｂ、ＳＴＡ３ １１５−ｃ、ＳＴＡ４ １１５−ｄ、およびＳＴＡ５ １１５−ｅ）は、固定されているか、固定されていないか、またはモバイル端末であり得、インターネットのようなネットワークに接続するために、それらそれぞれのＡＰのバックホールサービスを利用する。制限はされないが、ＳＴＡの例は、セルラフォン、スマートフォン、ラップトップコンピュータ、デスクトップコンピュータ、パーソナルデジタルアシスタント（ＰＤＡ）、パーソナル通信システム（ＰＣＳ）デバイス、パーソナル情報マネージャ（ＰＩＭ）、パーソナルナビゲーションデバイス（ＰＮＤ）、全世界測位システム、マルチメディアデバイス、ビデオデバイス、オーディオデバイス、ＩｏＴ（Internet-of-Things）のためのデバイス、またはＡＰのバックホールサービスを必要とする任意の他の適切なワイヤレス装置を含む。ＳＴＡはまた、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス局、リモート端末、ハンドセット、ユーザエージェント、モバイルクライアント、クライアント、ユーザ機器（ＵＥ）、または何らかの他の好適な用語で呼ばれ得る。ＡＰはまた、基地局、トランシーバ基地局、無線基地局、無線トランシーバ、トランシーバ機能、スモールセル、または任意の他の適切な用語で呼ばれ得る。全体を通して説明される様々な概念は、それらの特定の用語（nomenclature）とは関係なく、全ての適切なワイヤレス装置に適用するよう意図されている。
【００１７】
[0023]  ＳＴＡ１ １１５−ａ、ＳＴＡ２ １１５−ｂ、ＳＴＡ３ １１５−ｃ、ＳＴＡ４ １１５−ｄ、およびＳＴＡ５ １１５−ｅの各々は、プロトコルスタックを用いて実装され得る。プロトコルスタックは、ワイヤレスチャネルの物理的および電気的規格に従ってデータを送信および受信するための物理層、ワイヤレスチャネルへのアクセスを管理するためのデータリンク層、宛先データ転送のためのソースを管理するためのネットワーク層、エンドユーザ間のデータのトランスペアレントな転送（transparent transfer）を管理するためのトランスポート層、およびネットワークへの接続を確立またはサポートするために必要なまたは望ましい任意の他のレイヤを含むことができる。
【００１８】
[0024]  ＡＰ１ １０５−ａおよびＡＰ２ １０５−ｂの各々は、関連付けされたＳＴＡが通信リンク１２５を介してネットワークに接続することを可能にするための、ソフトウェアアプリケーションおよび／または回路を含むことができる。ＡＰは、データ、および／または制御情報（例えば、シグナリング）を通信するために、それらそれぞれのＳＴＡにフレームを送り、かつそれらそれぞれのＳＴＡからフレームを受信することができる。
【００１９】
[0025]  ＡＰ１ １０５−ａおよびＡＰ２ １０５−ｂの各々は、ＡＰのカバレッジエリア内にあるＳＴＡを有する通信リンク１２５を確立することができる。通信リンク１２５は、アップリンクおよびダウンリンク通信の両方を可能にすることができる通信チャネルを備えることができる。ＡＰに接続しているとき、ＳＴＡは、ＡＰを用いて最初にそれ自体を承認し、次にそれ自体をＡＰと関連付けすることができる。一旦関連付けされると、ＡＰと関連付けされたＳＴＡとがダイレクト通信チャネルを通じてフレームまたはメッセージを交換することができるように、ＡＰとＳＴＡとの間で通信リンク１２５が確立されることができる。
【００２０】
[0026]  複数の態様が、ＷＬＡＮ配置または米国電気電子学会（ＩＥＥＥ）８０２．１１対応ネットワーク（例えば、ＩＥＥＥ８０２．１１−ａｃ、ＩＥＥＥ８０２．１１−ａｘなど）の使用に関連して説明されるが、当業者は、全体を通して説明される様々な態様が、例として、ＢＬＵＥＴＯＯＴＨ（登録商標）（Ｂｌｕｅｔｏｏｔｈ（登録商標））、ＨｉｐｅｒＬＡＮ（主に欧州で使用される、ＩＥＥＥ８０２．１１規格に相当するワイヤレス規格のセット）、およびワイドエリアネットワーク（ＷＡＮ）で使用される他の技術、ＷＬＡＮ、パーソナルエリアネットワーク（ＰＡＮ）、あるいは、現在周知のまたは後に発展した他の適切なネットワークを含む、様々な規格またはプロトコルを用いる他のネットワークに拡張され得ることを、容易に理解するだろう。よって、直交周波数分割多元接続（ＯＦＤＭＡ）フレームにわたるデータ送信のためにユーザまたはＳＴＡをスケジューリングおよびグループ化するために、全体を通して表される様々な態様は、利用されるワイヤレスアクセスプロトコルおよびカバレッジ範囲に関係なく、任意の適切なワイヤレスネットワークに適用可能であり得る。
【００２１】
[0027]  一態様では、ＡＰ１ １０５−ａのようなＡＰは、ＭＵ−ＭＩＭＯを使用して、ＳＴＡ１１５−ａ、１１５−ｂ、１１５−ｄ、および１１５−ｅのような複数のＳＴＡと通信し得る。例えば、ＡＰ１ １０５−ａは、ＯＦＤＭＡフレームにわたるアップリンクデータ送信のために、ＳＴＡ１１５−ａ、１１５−ｂ、１１５−ｄ、および１１５−ｅのような、ＡＰ１ １０５−ａの近傍内のＳＴＡのサブセットをグループ化し得る。ＡＰのサブセットは、マルチユーザグループと見なされ得、ＡＰ１ １０５−ａは、ＳＴＡ間の電力の不均衡に基づいて、ＳＴＡ１１５−ａ、１１５−ｂ、１１５−ｄ、および１１５−ｅの送信電力を制御し得る。さらに、ＳＴＡの電力を制御することによって、ＡＰ１０５−ａは、（例えば、ＳＴＡが同じＯＦＤＭＡフレーム内で送信する）アップリンク通信のためのＳＴＡをどのようにグループ化するかを決定する際に、より高い柔軟性を有し得る。別の態様では、ＡＰ１ １０５−ａのようなＡＰは、単一ユーザ（ＳＵ：single user）ＭＩＭＯを使用してＳＴＡ １１５−ａ、１１５−ｂ、１１５−ｄ、または１１５−ｅのような１つのＳＴＡと通信し得る。
【００２２】
[0028]  一態様では、ＡＰ１ １０５−ａのようなＡＰは、ＳＴＡ １１５−ａ、１１５−ｂ、１１５−ｄ、および／または１１５−ｅのような１つまたは複数のＳＴＡからのチャネルフィードバックを要求することができる。ＡＰ１ １０５−ａは、追加のパラメータを特定する要求に対して新規のフォーマットを用いることができ、それは、トーングループ化ファクタなどを使用して、チャネルフィードバックを部分帯域幅に制限し得る。従って、１つまたは複数のＳＴＡ１１５−ａ、１１５−ｂ、１１５−ｄ、および／または１１５−ｅは、要求に対して新規のフォーマットを検出することができるＨＥ ＳＴＡであり、（新規のフォーマットを有するＮＤＰＡのような）チャネルフィードバックを求める要求を受信し、ＡＰ１ １０５−ａからの関連付けされた送信（例えば、ＮＤＰ）を受信し、その関連付けされた送信に基づいておよび要求中の１つまたは複数のパラメータに従ってチャネルフィードバックを計算し、チャネルフィードバック行列をＡＰ１ １０５−ａに送信することができる。
【００２３】
[0029]  一態様では、追加のパラメータが要求におけるそれのＡＩＤを１つまたは複数のレガシＳＴＡに検出させ得るが、その要求が異なるＨＥ ＳＴＡを対象とするときに、ＡＰ１ １０５−ａは、１つまたは複数のレガシＳＴＡ、例えば、ＳＴＡ１１５−ａ、１１５−ｂ、１１５−ｄ、および／または１１５−ｅのうちの１つまたは複数が要求を処理しないことを保証しようとする手段を講じ得る。例えば、ＡＰ１ １０５−ａは、ＡＩＤがレガシＳＴＡのＡＩＤとマッチしないときにレガシＳＴＡによって構文解析され得る新規のフォーマットにおいて、任意のビット、バイト、または他の部分を保証することができる。別の例では、ＡＰ１ １０５−ａは、異なるフレーム制御フィールド値に基づいて新規のフォーマット要求をレガシＳＴＡが処理しない可能性があるように、新規のフォーマットを示すための新規のフレーム制御フィールド値を使用し得る。別の例では、ＡＰ１ １０５−ａは、ＨＥ ＳＴＡによって知られている１つまたは複数の追加のまたは修正されたバイトを使用して新規のフォーマットの要求のためのＣＲＣを修正し得、要求のＣＲＣがレガシＳＴＡにおいて失敗することを引き起こす。さらに別の例では、ＡＰ１ １０５−ａは、追加のパラメータを示すために、レガシフォーマットの複数の要求を使用し得る。
【００２４】
[0030]  図２、３、５、および６を参照すると、複数の態様が、本明細書で説明されるアクションまたは機能を行い得る１つまたは複数のコンポーネントおよび１つまたは複数の方法を参照して描かれている。一態様では、本明細書で説明される「コンポーネント」という用語は、システムを構成する部分のうちの１つであり得、ハードウェアまたはソフトウェア、あるいはこれらのいくつかの組み合わせであり得、他のコンポーネントに分割され得る。図５および図６において下記に説明される動作は、特定の順序で表される、および／またはコンポーネントの例によって行われるが、アクションの順序およびアクションを行うコンポーネントは実装に依存して変化し得ることが理解されるべきである。さらに、以下のアクションまたは機能が、特別にプログラムされたプロセッサ、特別にプログラムされたソフトウェアを実行するプロセッサ、またはコンピュータ可読媒体によって、あるいは、説明されるアクションまたは機能を行うことが可能なハードウェアコンポーネントおよび／またはソフトウェアコンポーネントの任意の他の組み合わせによって行われ得ることが理解されるべきである。
【００２５】
[0031]  図２を参照すると、一態様では、ワイヤレス通信システム２００は、図１のＳＴＡ１１５−ａ、１１５−ｂ、１１５−ｄ、および１１５−ｅ、並びにＡＰ１ １０５−ａと同様に、ネットワーク２１８に接続されたＡＰ１ １０５−ａのような少なくとも１つのＡＰとワイヤレス通信しているＳＴＡ１１５−ａ、１１５−ｂ、１１５−ｄ、および１１５−ｅを含む。ＳＴＡ１１５−ａ、１１５−ｂ、１１５−ｄ、および１１５−ｅは、ＡＰ１ １０５−ａを介してネットワーク２１８と通信し得る。一例では、ＳＴＡ１１５−ａ、１１５−ｂ、１１５−ｄ、および１１５−ｅは、１つまたは複数の通信リンク１２５を介してＡＰ１ １０５−ａにおよび／またはＡＰ１ １０５−ａからワイヤレス通信を送信および／または受信し得る。そのようなワイヤレス通信は、制限はされないが、データ、オーディオ、および／またはビデオ情報を含み得る。いくつかの例では、このようなワイヤレス通信は、制御情報または同様の情報を含み得る。一態様では、ＡＰ１ １０５−ａのようなＡＰは、要求に対して、レガシフォーマット（例えば、ＮＤＰＡのＶＨＴフォーマット）とは異なる新規のフォーマットを使用して、ＳＴＡ１１５−ａ、１１５−ｂ、１１５−ｄ、および１１５−ｅのような１つまたは複数のＳＴＡからのチャネルフィードバックを要求するように構成され得る。例えば、新規のフォーマットは、ＩＥＥＥ８０２．１１ａｘ（例えば、ＨＥ ＮＤＰＡフレームフォーマット）において定義されたＮＤＰＡフレームフォーマットに対応し得、および／または、レガシフォーマットは、ＩＥＥＥ８０２．１１ａｃ（例えば、ＶＨＴフレームフォーマット）において定義されたＮＤＰＡフレームフォーマットに対応し得る。
【００２６】
[0032]  一態様では、ＡＰ１ １０５−ａは、メモリ２５０、１つまたは複数のプロセッサ２０３、およびトランシーバ２０６を含み得る。メモリ２５０、１つまたは複数のプロセッサ２０３、およびトランシーバ２０６は、バス２１１を介して内部で通信し得る。いくつかの例では、メモリ２５０および１つまたは複数のプロセッサ２０３は、同じハードウェアコンポーネントの一部であり得る（例えば、同じボード、モジュールまたは集積回路の一部であり得る）。代替として、メモリ２５０および１つまたは複数のプロセッサ２０３は、互いと連動して動き得る別個のコンポーネントであり得る。いくつかの態様では、バス２１１は、ＡＰ１ １０５−ａのサブコンポーネントおよび複数のコンポーネント間でデータを転送する通信システムであり得る。いくつかの例では、１つまたは複数のプロセッサ２０３は、モデムプロセッサ、ベースバンドプロセッサ、デジタルシグナルプロセッサおよび／または送信プロセッサのうちの任意の１つまたはそれらの組み合せを含み得る。加えて、または代替として、１つまたは複数のプロセッサ２０３は、本明細書で説明される１つまたは複数の方法またはプロシージャを実行するためのチャネルフィードバックコンポーネント２２０を含み得る。チャネルフィードバックコンポーネント２２０は、ハードウェア、ファームウェア、および／またはソフトウェアを備え得、メモリ（例えば、コンピュータ可読記憶媒体）に記憶された命令を行うか、またはコードを実行するように構成され得る。
【００２７】
[0033]  いくつかの例では、ＡＰ１ １０５−ａは、本明細書で使用されるデータおよび／またはローカルバージョンのアプリケーションを記憶するなどのためのメモリ２５０、あるいは１つまたは複数のプロセッサ２０３によって実行されているチャネルフィードバックコンポーネント２２０および／またはそれのサブコンポーネントのうちの１つまたは複数を含み得る。メモリ２５０は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せのような、コンピュータまたはプロセッサ２０３によって使用可能ないずれのタイプのコンピュータ可読媒体も含むことができる。一態様では、例えば、メモリ２５０は、コンピュータ実行可能なコードを記憶するコンピュータ可読記憶媒体（例えば、非一時的な媒体）であり得る。コンピュータ実行可能なコードは、チャネルフィードバックコンポーネント２２０、および／またはそれのサブコンポーネントのうちの１つまたは複数の、１つまたは複数の動作または機能、および／またはそれに関連付けられたデータを定義し得る。コンピュータ実行可能なコードは、ＡＰ１ １０５−ａが、チャネルフィードバックコンポーネント２２０および／またはそれのサブコンポーネントのうちの１つまたは複数を実行するようにプロセッサ２０３を動作させているとき、これらの１つまたは複数の動作または機能を定義し得る。いくつかの例では、ＡＰ１ １０５−ａは、１１５−ａ、１１５−ｂ、１１５−ｄ、および１１５−ｅのようなＳＴＡにチャネルフィードバックを求める要求を送信する、および／または、それらＳＴＡからチャネルフィードバック行列を受信するためのトランシーバ２０６をさらに含み得る。トランシーバ２０６は、ハードウェア、ファームウェア、および／またはソフトウェアを備え得、メモリ（例えば、コンピュータ可読記憶媒体）に記憶された命令を行うか、またはコードを実行するように構成され得る。トランシーバ２０６は、モデム２６５を備えるラジオ２６０を含む複数のラジオおよびモデムを含み得る。一態様では、ＡＰ１ １０５−ａおよびトランシーバ２０６は、ＳＴＡ１１５−ａ、１１５−ｂ、１１５−ｄ、および１１５−ｅなどのような複数のＳＴＡを有する、ワイヤレスローカルエリアネットワーク（ＷＬＡＮ）または短距離通信プロトコル（例えば、Ｂｌｕｅｔｏｏｔｈ無線）のような複数のワイヤレス接続を可能にするＳＵ−ＭＩＭＯ、ＭＵ−ＭＩＭＯをサポートする。ラジオ２６０は、ＳＴＡ１１５−ａ、１１５−ｂ、１１５−ｄ、および１１５−ｅのような複数のＳＴＡに信号を送信し、それらＳＴＡから信号を受信するための１つまたは複数のアンテナ２０２を利用し得る。トランシーバ２０６は、無線周波数（ＲＦ）受信機、ＲＦ送信機、関連するプロセッサなどを含み得る。
【００２８】
[0034]  特に、プロセッサ（１つまたは複数）２０３および／またはメモリ２５０は、チャネルフィードバックコンポーネント２２０またはそれのサブコンポーネントによって定義されるアクションまたは動作を実行し得る。例えば、プロセッサ（１つまたは複数）２０３および／またはメモリ２５０は、１つまたは複数のＳＴＡに送信するために、チャネルフィードバックを求める要求を生成するための要求生成コンポーネント２２２によって定義されるアクションまたは動作を実行し得る。一態様では、例えば、要求生成コンポーネント２２２は、本明細書で説明される特別に構成された要求生成動作を行うようにプロセッサ（１つまたは複数）２０３のうちの少なくとも１つによって実行可能であり、かつメモリ２５０に記憶されたコンピュータ可読コードまたは命令および／またはハードウェア（例えば、プロセッサ（１つまたは複数）２０３のうちの１つまたは複数のプロセッサモジュール）を含み得る。さらに、例えば、プロセッサ（１つまたは複数）２０３および／またはメモリ２５０は、（例えば、１つまたは複数のＳＴＡに信号を送信するためのステアリング行列を決定するために）１つまたは複数のＳＴＡから受信されたチャネルフィードバックを処理するためのフィードバック処理コンポーネント２２４によって定義されるアクションまたは動作を実行し得る。一態様では、例えば、フィードバック処理コンポーネント２２４は、本明細書で説明される特別に構成されたフィードバック処理動作を行うためにプロセッサ（１つまたは複数）２０３のうちの少なくとも１つによって実行可能であり、かつメモリ２５０に記憶されたコンピュータ可読コードまたは命令および／またはハードウェア（例えば、プロセッサ（１つまたは複数）２０３のうちの１つまたは複数のプロセッサモジュール）を含み得る。
【００２９】
[0035]  さらに、例えば、プロセッサ（１つまたは複数）２０３および／またはメモリ２５０は、チャネルフィードバックを求める要求の新規のフォーマットが１つまたは複数のレガシＳＴＡによって処理されることを避けるために、１つまたは複数のレガシＳＴＡにＡＩＤを割り当てるためのＡＩＤ割り当てコンポーネント２２６によって定義されるアクションまたは動作を任意で実行し得る。一態様では、例えば、ＡＩＤ割り当てコンポーネント２２６は、本明細書で説明される特別に構成されたＡＩＤ割り当て動作を行うようにプロセッサ（１つまたは複数）２０３のうちの少なくとも１つによって実行可能であり、かつメモリ２５０に記憶されたコンピュータ可読コードまたは命令および／またはハードウェア（例えば、プロセッサ（１つまたは複数）２０３のうちの１つまたは複数のプロセッサモジュール）を含み得る。さらに、例えば、プロセッサ（１つまたは複数）２０３および／またはメモリ２５０は、レガシＳＴＡが要求を処理しないことを保証するために、チャネルフィードバック要求の１つまたは複数のビットを修正するためのビット修正コンポーネント２２８によって定義されるアクションまたは動作を任意で実行し得る。一態様では、例えば、ビット修正コンポーネント２２８は、本明細書で説明される特別に構成されたビット修正動作を行うようにプロセッサ（１つまたは複数）２０３のうちの少なくとも１つによって実行可能であり、かつメモリ２５０に記憶されたコンピュータ可読コードまたは命令および／またはハードウェア（例えば、プロセッサ（１つまたは複数）２０３のうちの１つまたは複数のプロセッサモジュール）を含み得る。さらに、例えば、プロセッサ（１つまたは複数）２０３および／またはメモリ２５０は、チャネルフィードバックを求める要求の新規のフォーマットが１つまたは複数のレガシＳＴＡによって処理されることを避けるために、チャネルフィードバックを求める要求のＣＲＣを修正するためのＣＲＣコンポーネント２３０によって定義されるアクションまたは動作を任意で実行し得る。一態様では、例えば、ＣＲＣコンポーネント２３０は、本明細書で説明される特別に構成されたＣＲＣ修正動作を行うようにプロセッサ（１つまたは複数）２０３のうちの少なくとも１つによって実行可能であり、かつメモリ２５０に記憶されたコンピュータ可読コードまたは命令および／またはハードウェア（例えば、プロセッサ（１つまたは複数）２０３のうちの１つまたは複数のプロセッサモジュール）を含み得る。
【００３０】
[0036]  図３を参照すると、一態様では、ワイヤレス通信システム３００は、図１のＳＴＡ１１５−ａ、１１５−ｂ、１１５−ｄ、および１１５−ｅ、並びにＡＰ１０５−ａと同様に、ネットワーク２１８に接続されたＡＰ１ １０５−ａのような少なくとも１つのＡＰとワイヤレス通信しているＳＴＡ１１５−ａ、１１５−ｂ、１１５−ｄ、および１１５−ｅを含む、ワイヤレス通信システム２００に類似する。
【００３１】
[0037]  一態様では、ＳＴＡ１ １１５−ａは、メモリ３５０、１つまたは複数のプロセッサ３０３、およびトランシーバ３０６を含み得る。メモリ３５０、１つまたは複数のプロセッサ３０３、およびトランシーバ３０６は、バス３１１を介して内部で通信し得る。いくつかの例では、メモリ３５０および１つまたは複数のプロセッサ３０３は、同じハードウェアコンポーネントの一部であり得る（例えば、同じボード、モジュールまたは集積回路の一部であり得る）。代替として、メモリ３５０および１つまたは複数のプロセッサ３０３は、互いに連動し得る別個のコンポーネントであり得る。いくつかの態様では、バス３１１は、ＳＴＡ１ １１５−ａのサブコンポーネントおよび複数のコンポーネント間でデータを転送する通信システムであり得る。いくつかの例では、１つまたは複数のプロセッサ３０３は、モデムプロセッサ、ベースバンドプロセッサ、デジタルシグナルプロセッサ、および／または送信プロセッサのうちの任意の１つまたはそれらの組み合せを含み得る。加えて、または代替として、１つまたは複数のプロセッサ３０３は、本明細書に説明される１つまたは複数の方法またはプロシージャを実行するためのフィードバック報告コンポーネント３２０を含み得る。フィードバック報告コンポーネント３２０は、ハードウェア、ファームウェア、および／またはソフトウェアを備え得、メモリ（例えば、コンピュータ可読記憶媒体）に記憶された命令を行うか、またはコードを実行するように構成され得る。
【００３２】
[0038]  いくつかの例では、ＳＴＡ１ １１５−ａは、本明細書で使用されるデータおよび／またはローカルバージョンのアプリケーションを記憶するなどのためのメモリ３５０、あるいは１つまたは複数のプロセッサ３０３によって実行されるフィードバック報告コンポーネント３２０および／またはそれのサブコンポーネントのうちの１つまたは複数を含み得る。メモリ３５０は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せのような、コンピュータまたはプロセッサ３０３によって使用可能な如何なるタイプのコンピュータ可読媒体も含むことができる。一態様では、例えば、メモリ３５０は、コンピュータ実行可能なコードを記憶するコンピュータ可読記憶媒体（例えば、非一時的な媒体）であり得る。コンピュータ実行可能なコードは、フィードバック報告コンポーネント３２０および／またはそれのサブコンポーネントのうちの１つまたは複数の、１つまたは複数の動作または機能、および／またはそれに関連付けられたデータを定義し得る。コンピュータ実行可能なコードは、ＳＴＡ１ １１５−ａが、フィードバック報告コンポーネント３２０および／またはそれのサブコンポーネントのうちの１つまたは複数を実行するようにプロセッサ３０３を動作させているとき、これらの１つまたは複数の動作または機能を定義し得る。いくつかの例では、ＳＴＡ１ １１５−ａは、ＡＰ１ １０５−ａのようなＡＰにチャネルフィードバックを報告するための、および／または、それらＡＰからチャネルフィードバックを求める要求を受信するためのトランシーバ３０６をさらに含み得る。トランシーバ３０６は、ハードウェア、ファームウェア、および／またはソフトウェアを備え得、メモリ（例えば、コンピュータ可読記憶媒体）に記憶された命令を行うか、またはコードを実行するように構成され得る。トランシーバ３０６は、モデム３６５を備えるラジオ３６０を含む複数のラジオおよびモデムを含み得る。
【００３３】
[0039]  特に、プロセッサ（１つまたは複数）３０３および／またはメモリ３５０は、フィードバック報告コンポーネント３２０またはそのサブコンポーネントによって定義されるアクションまたは動作を実行し得る。例えば、プロセッサ（１つまたは複数）３０３および／またはメモリ３５０は、ＡＰから受信されたチャネルフィードバックを求める要求を処理するための要求処理コンポーネント３２２によって定義されるアクションまたは動作を実行し得る。一態様では、例えば、要求処理コンポーネント３２２は、本明細書で説明される特別に構成された要求処理動作を行うようにプロセッサ（１つまたは複数）３０３のうちの少なくとも１つによって実行可能であり、かつメモリ３５０に記憶されたコンピュータ可読コードまたは命令および／またはハードウェア（例えば、プロセッサ（１つまたは複数）３０３のうちの１つまたは複数のプロセッサモジュール）を含み得る。さらに、例えば、プロセッサ（１つまたは複数）３０３および／またはメモリ３５０は、チャネルフィードバック要求に基づいてＡＰのためのチャネルフィードバック行列を生成するためのフィードバック生成コンポーネント３２４によって定義されるアクションまたは動作を実行し得る。一態様では、例えば、フィードバック生成コンポーネント３２４は、本明細書で説明される特別に構成されたフィードバック生成動作を行うようにプロセッサ（１つまたは複数）３０３のうちの少なくとも１つによって実行可能であり、かつメモリ３５０に記憶されたコンピュータ可読コードまたは命令および／またはハードウェア（例えば、プロセッサ（１つまたは複数）３０３のうちの１つまたは複数のプロセッサモジュール）を含み得る。
【００３４】
[0040]  図４は、チャネルフィードバックを求める要求の例となるフォーマット４００を描く。例えば、フォーマット４００は、チャネルフィードバックを生成および報告するための後続のＮＤＰを知らせる、ＷＬＡＮネットワーク中で送信するＡＰ１ １０５−１のためのＮＤＰＡに対応し得る。フォーマット４００は、複数のフィールド中でとりわけ、フレーム制御フィールド４０２、サウンディングダイアログトークン４０４、および１つまたは複数のＳＴＡ情報フィールド４０６を含む。サウンディングダイアログトークン４０４は、ＮＤＰＡがＨＥフォーマット（例えば、レガシＶＨＴフォーマットとは異なる新規のフォーマット）のものであるかどうかを特定するインジケータ４１０を含み得、それは、１ビットまたは他のサイズのインジケータであり得る。１つまたは複数のＳＴＡ情報フィールド４０６は、複数のフィールド中でとりわけ、ＳＴＡのＡＩＤ４１８、およびフィードバックが要求されるチャネル帯域幅の一部分を示す１つまたは複数のパラメータを含み得る。説明されるように、１つまたは複数のパラメータは、トーングループ化ファクタＮｇ４２０、部分帯域幅のインジケーション４２２などに関連し得る。部分帯域幅のインジケーション４２２は、例えば、チャネルフィードバックを報告するための部分帯域幅の始点リソースユニットを示す始点リソースユニットインデックス４２４と、チャネルフィードバックを報告するための部分帯域幅の終点リソースユニットを示す終点リソースユニットインデックス４２６とを含み得る。これに関して、本明細書でさらに説明されるように、ＡＰ１ １０５−ａは、チャネルフィードバック行列のサイズ／複雑さを減らすために、要求されたチャネルフィードバックを部分帯域幅に、および／または、トーングループ化ファクタによって定義されるサブキャリアの一部分に制限することができ、従って、チャネルフィードバック行列を報告するために必要とされる帯域幅、チャネルフィードバック行列を処理するための処理時間などを減らすことができる。図４に示されるサウンディングダイアログトークン４０４および／またはＳＴＡ情報４０６中のフィールドの順序および／または存在（presence）は、制限されない例であり、フィールドおよび／または他のフィールドの様々な順序または存在が使用され得る。
【００３５】
[0041]  このフォーマット４００では、例えば、各ＮＤＰＡ ＳＴＡ情報フィールド４０６はＡＩＤを含み得、それは、セットディスアンビギュエーションビット（set disambiguation bit）に遭遇したとき（例えば、レガシＳＴＡがＡＩＤ４１８のＭＳＢを０であると予測する際に）、レガシＳＴＡが（例えば、フォーマット４００の）ＮＤＰＡフレームを処理しないことを保証するためのＭＳＢとして、ディスアンビギュエーションビットを含むための１２ビットなどであることができる。ＮＤＰＡ ＳＴＡ情報フィールド４０６はまた、ＳＴＡごとに単一ユーザフィードバックタイプを使用するかマルチユーザフィードバックタイプを使用するかを示すことができるフィードバックタイプビット、値１〜８を示すための３ビットであり、かつＮＤＰＡが１より多いＳＴＡに対応する場合に含まれることができるＳＴＡごとの列の数Ｎｃ（a number of columns Nc）も含むことができる。新規のフォーマット（例えば、フォーマット４００）のＳＴＡ情報フィールド４０６はまた、例えば、７ビットの始点リソースユニットインデックス４２４および７ビットの終点リソースユニットインデックス４２６を含む１４ビットであることができるＳＴＡごとの部分帯域幅のインジケータ４１０と、ＮＤＰＡが１より多いＳＴＡに対応する場合に含まれ得、グループ化を示すための１つまたは複数のビット（例えば、４または１６のグループ化を示すための１ビット）であることができる、トーングループ化ファクタＮｇ４２０の追加のパラメータとを含み得る。説明されるように、追加のフィールドは、ＮＤＰＡのサイズを変更し、よって、説明されるように、サウンディングダイアログトークン４０４中の１つまたは複数のビットのような、ＮＤＰＡのフォーマットを示すためのメカニズム（例えば、追加のパラメータを含む新規のフォーマットのものか、または追加のパラメータなしのレガシＶＨＴフォーマットのものか）が提供されることができる。加えて、レガシＳＴＡによるＮＤＰＡの処理を避けるためのメカニズムも、説明されるように、ＡＩＤ ４１８中のディスアンビギュエーションビットのように、同様に提供され得る。これに関して、要求を通信するＡＰは、対応するＳＴＡによって報告されたサウンディングチャネルフィードバックのＮｇ、量子化、Ｎｃを制御することができるが、ＳＴＡはまた、一例では（例えば、ＮＤＰＡがＳＵタイプフィードバックを要求する単一ＳＴＡにアドレスされる場合に）、値を制御し得る。
【００３６】
[0042]  図５は、チャネルフィードバックを求める要求を（例えば、ＡＰによって）通信するための方法５００の例を図示する。方法５００は、ブロック５０２において、チャネルフィードバックを求める要求を生成することを含み得、ここで、要求は、第２のフォーマットとは異なる第１のフォーマットを示す。一態様では、要求生成コンポーネント２２２（図２）は、例えば、プロセッサ（１つまたは複数）２０３および／またはメモリ２５０と連動して、チャネルフィードバックを求める要求を生成し得る。例えば、要求生成コンポーネント２２２は、要求が第２のフォーマット（例えば、ＩＥＥＥ８０２．１１ａｃフォーマットに対応し得る、レガシＶＨＴフォーマット）とは異なる第１のフォーマット（例えば、ＩＥＥＥ８０２．１１ａｘに対応し得る、フォーマット４００のような新規のフォーマット）のものであるインジケータを含むように要求を生成し得る。例えば、インジケータは、レガシＶＨＴフォーマット、サウンディングダイアログトークン４０４中のビット（例えば、フォーマット４００（図４）中の、前に予約されたフォーマットのビット、ビット１、ＨＥ ＮＤＰＡインジケータ４１０など）、ＭＳＢ、またはＳＴＡ情報フィールド４０６、ＡＩＤ４１８、または要求の他の部分の他のビットなどで使用されるものとは異なる、フレーム制御フィールド４０２（図４）のための値を使用することを含み得る。これは、ＨＥ ＳＴＡが、チャネルフィードバックを求めるレガシＶＨＴフォーマット要求と新規のフォーマット要求を区別することを可能にすることができる、および／または、レガシＶＨＴ ＳＴＡに要求を無視させることができる。説明されるように、要求は、ＮＤＰＡに対応することができる。さらに、要求の新規のフォーマットは、フォーマット４００中のフィールドの少なくとも一部分を含む、図４のフォーマット４００に対応することができる。
【００３７】
[0043]  加えて、これに関して、ブロック５０２において要求を生成することは、ブロック５０４において、チャネルフィードバックが要求される部分帯域幅を、要求において示すことを任意で含み得る。一態様では、要求生成コンポーネント２２２は、例えば、プロセッサ（１つまたは複数）２０３および／またはメモリ２５０と連動して、チャネルフィードバックが要求される部分帯域幅を、要求において示すことができる。例えば、要求生成コンポーネント２２２は、部分帯域幅のインジケーション４２２を用いて、フォーマット４００（図４）と同様のフォーマットのものである要求を生成することができる。一態様では、要求生成コンポーネント２２２は、ＳＴＡが、対応するＮＤＰを測定するための要求において、チャネル帯域幅の始点リソースユニットインデックス４２４および／または終点リソースユニットインデックス４２６を示すことができる（例えば、チャネル帯域幅内の始点リソースユニットインデックス４２４から終点リソースユニットインデックス４２６までの帯域幅の、電力、位相シフトなどを測定（measure）する）。
【００３８】
[0044]  別の例では、ブロック５０２において要求を生成することは、ブロック５０６において、チャネルフィードバックを表す行列についてのトーングループ化を示すトーングループ化ファクタを、要求において特定することを任意で含み得る。一態様では、要求生成コンポーネント２２２は、例えば、プロセッサ（１つまたは複数）２０３および／またはメモリ２５０と連動して、チャネルフィードバックを表す行列についてのトーングループ化を示すトーングループ化ファクタを、要求において特定することができる。例えば、要求生成コンポーネント２２２は、トーングループ化ファクタによって表されるサブキャリア（例えば、トーングループ化ファクタｎのためのチャネル中の、ｎ番目ごとのサブキャリア）のサブセットのためのチャネルフィードバックをＳＴＡが報告することができるように、ＳＴＡがチャネルフィードバックを報告するためのトーングループ化ファクタＮｇ４２０のインジケーションを用いて、フォーマット４００（図４）に類似するフォーマットのものである要求を生成することができる。
【００３９】
[0045]  別の例では、ブロック５０２において要求を生成することは、ブロック５０８において、１つまたは複数のレガシＳＴＡのＡＩＤとマッチしない要求において、１つまたは複数のビットを生成することを任意で含み得る。一態様では、ビット修正コンポーネント２２８は、例えば、プロセッサ（１つまたは複数）２０３および／またはメモリ２５０と連動して、１つまたは複数のレガシＳＴＡのＡＩＤとマッチしない要求において１つまたは複数のビットを生成することができる――その１つまたは複数のビットは、ディスアンビギュエーションビット（１つまたは複数）と本明細書では呼ばれる。例えば、ＡＩＤのようなレガシＳＴＡによって構文解析され得る要求の任意のビット／バイトに関して、ビット修正コンポーネント２２８は、レガシＳＴＡ ＡＩＤとマッチしないビット／バイトを保証することができる。一例では、ＡＩＤ割り当てコンポーネント２２６は、１つまたは複数のレガシＳＴＡにＡＩＤをさらに割り当てることができ、ここで、ＡＩＤは、要求に対して新規のフォーマット（例えば、ＮＤＰＡのフォーマット４００）の１つまたは複数のバイトとマッチしない（例えば、一致しない）ビット／バイトを有する。例えば、レガシＳＴＡによってＳＴＡ情報フィールド４０６の第１のバイトとして解釈され得る任意のバイトに関して、ビット修正コンポーネント２２８は、フィールドのＭＳＢを１に設定することができ、ここで、レガシＳＴＡは、このフィールドを０であると予測し得る。よって、レガシＳＴＡは、要求を処理しない可能性がある。一例では、要求生成コンポーネント２２２は、ＡＩＤ（例えば、１２ビットのＡＩＤ）に追加の１ビットを含むための要求を生成することができ、ＡＩＤ割り当てコンポーネント２２６は、ある特定の値において設定された追加のビットで開始しないか、またはそうでなければそれを含まないレガシＳＴＡに、ＡＩＤを割り当てることができる。
【００４０】
[0046]  別の例では、レガシＳＴＡによるＳＴＡ情報フィールドの第１のバイトとして解釈され得る任意のバイトに関して、ビット修正コンポーネント２２８は、バイトおよび／または対応するビットを、それが１つまたは複数のＳＴＡのＡＩＤとマッチしないように設定することができる。説明されるように、ＡＩＤ割り当てコンポーネント２２６は、レガシＳＴＡに割り当てられるＡＩＤの値が要求の新規のフォーマット中で使用されるバイトとマッチしないように、レガシＳＴＡにＡＩＤを割り当てることを制限し得る。具体的には、一例では、ＡＩＤ割り当てコンポーネント２２６は、レガシＳＴＡのためのＡＩＤ割り当てを、１０２３（例えば、最下位１０ビットを使用する２＾１０−１）までに制限し、次に、第２のＡＩＤとしてレガシＳＴＡによって解釈されるビットのＭＳＢを１に設定することができる。これに関して、要求を受信するレガシＳＴＡは、新規のフォーマットの追加のパラメータに対応する要求のさらなるビットを処理するとき、それらのＡＩＤを検出せず、よって、要求を処理しない。
【００４１】
[0047]  例えば、ビット修正コンポーネント２２８は、要求中に（例えば、ＳＴＡ情報フィールド４０６中に）１つまたは複数のディスアンビギュエーションビットを含みかつ設定し、ＡＩＤ割り当てコンポーネント２２６は、１つまたは複数のレガシＳＴＡにチャネルフィードバックを求める要求に含まれるディスアンビギュエーションビット（１つまたは複数）のセット値を含まない（または、一致しない）ＡＩＤを割り当てることができる。一例では、要求は、ＳＴＡ情報フィールド４０６中に（例えば、ＡＩＤ４１８のＭＳＢのようなトーングループ化ファクタＮｇ４２０の前に、１つまたは複数のビットとして）、または実質的にはＳＴＡ情報フィールド４０６中のどこにでも、１つまたは複数のディスアンビギュエーションビットを含むことができる。例えば、より多くの数のディスアンビギュエーションビットを使用することは、レガシＳＴＡに割り当て可能なＡＩＤのグループ化を低減することを可能にし得る。
【００４２】
[0048]  別の例では、ブロック５０２において要求を生成することは、ブロック５１０において、要求に適用されたＣＲＣにおいて１つまたは複数のバイトを修正することを任意で含み得る。一態様では、ＣＲＣコンポーネント２３０は、例えば、プロセッサ（１つまたは複数）２０３および／またはメモリ２５０と連動して、要求に適用されたＣＲＣにおいて１つまたは複数のバイトを修正することができる。例えば、ＨＥ ＳＴＡは、ＡＰ１ １０５−ａによって行われるＣＲＣの修正を知ることができ、ＡＰ１ １０５−ａから受信した要求のＣＲＣを行う際に正しいＣＲＣ値を取得するために逆修正を行うことができるが、一方、レガシＳＴＡによって行われたＣＲＣは、失敗し得る。これに関して、レガシＳＴＡは、新規のフォーマットの要求を処理しない可能性がある。
【００４３】
[0049]  別の例では、ブロック５０２において要求を生成することは、ブロック５１２において、追加のパラメータを示すために、複数のレガシ要求を使用することを任意で含み得る。一態様では、要求生成コンポーネント２２２は、例えば、プロセッサ（１つまたは複数）２０３および／またはメモリ２５０と連動して、追加のパラメータを示すために複数のレガシ要求を使用することができる。例えば、要求生成コンポーネント２２２は、トーングループ化ファクタ、部分帯域幅のインジケーションなどの追加のパラメータを示すために、（例えば、トーングループ化ファクタＮｇ４２０または部分帯域幅のインジケーション４２２がなくとも）レガシフォーマットの複数のＳＴＡ情報フィールド４０６を使用することができる。例えば、要求生成コンポーネント２２２は、複数のＳＴＡ情報フィールドにおける同じＡＩＤを特定することができ、ＨＥ ＳＴＡは、場合によっては複数のＳＴＡ情報フィールドを処理し、かつＡＩＤのための追加のＳＴＡフィールドＳＴＡフィールドにおいて、どのレガシフィールドおよび／またはビットが追加のパラメータに対応するかを知るように構成されることができる。
【００４４】
[0050]  方法５００はまた、ブロック５１４において、ＨＥ ＳＴＡにチャネルフィードバックを求める要求を送信することも含み得る。一態様では、例えば、チャネルフィードバックコンポーネント２２０は、例えば、プロセッサ（１つまたは複数）２０３、メモリ２５０、および／またはトランシーバ２０６と連動して、チャネルフィードバックを求める要求をＨＥ ＳＴＡに送信することができる。説明されるように、例えば、要求は、ＨＥ ＳＴＡに送信されたＮＤＰＡを含むことができ、要求生成コンポーネント２２２は、説明されるように、レガシＳＴＡによる要求の処理を避ける（prevent）ための要求を生成することができる。加えて、例えば、チャネルフィードバックコンポーネント２２０は、本明細書でさらに説明されるように、ＮＤＰＡにおいて特定されるパラメータに基づいてＨＥ ＳＴＡが受信および測定することができるＮＤＰを、要求の一部としてその後送信することができる。しかしながら、別の例では、要求生成コンポーネント２２２は、その送信の前にチャネルフィードバック要求を修正しない可能性があるか、またはそうでなければレガシＳＴＡが要求（例えば、ＮＤＰＡ）を処理することを避けることを試みない可能性がある。この例では、ＡＰ１ １０５−ａによって送信される後続のＮＤＰは、レガシＮＤＰとは異なるプリアンブルを使用し得、よって、レガシＳＴＡは、後続のＮＤＰを処理しない可能性がある（よって、レガシＳＴＡが新規のフォーマットＮＤＰＡにおいてそのＡＩＤを検出している場合でさえ、フィードバックを提供しない可能性がある）。
【００４５】
[0051]  いずれの場合にも、方法５００はまた、ブロック５１６においてＨＥ ＳＴＡからチャネルフィードバックを受信することを含み得る。一態様では、チャネルフィードバックコンポーネント２２０は、例えば、プロセッサ（１つまたは複数）２０３、メモリ２５０、および／またはトランシーバ２０６と連動して、チャネルフィードバックをＨＥ ＳＴＡから受信することができる。例えば、チャネルフィードバックコンポーネント２２０は、要求において特定されたトーングループ化ファクタＮｇ４２０に基づいて圧縮され得る、圧縮されたチャネルフィードバック行列としてチャネルフィードバックを受信し得、要求において特定された部分帯域幅のインジケーション４２２などに基づいて部分帯域幅のためのフィードバックを示し得る。ＨＥ ＳＴＡは、本明細書でさらに説明されるように、ＮＤＰに対応するチャネルフィードバックを測定することに基づいてチャネルフィードバック行列を送信することができる。
【００４６】
[0052]  一例では、方法５００はまた、ブロック５１８において、チャネルフィードバックに基づいてＨＥ ＳＴＡに送信をビームフォーミングすることを任意で含み得る。一態様では、トランシーバ２０６は、例えば、プロセッサ（１つまたは複数）２０３および／またはメモリ２５０と連動して、チャネルフィードバックに基づいてＨＥ ＳＴＡへの送信をビームフォーミングすることができる。例えば、チャネルフィードバックコンポーネント２２０は、チャネルフィードバックを説明するために、ＨＥ ＳＴＡへの送信をビームフォーミングするための、ステアリング行列を生成するチャネルフィードバック行列を処理することができる。この例では、トランシーバ２０６は、ＨＥ ＳＴＡに後続の通信を送信する際に、それに応じてステアリング行列を適用することができる。
【００４７】
[0053]  図６は、チャネルフィードバックを求める要求に基づくチャネルフィードバックを（例えば、ＳＴＡによって）通信するための方法６００の例を例示する。方法６００は、ブロック６０２において、チャネルフィードバックを求める要求を受信することを含み得、ここで、要求は、第２のフォーマットとは異なる第１のフォーマットを示す。一態様では、フィードバック報告コンポーネント３２０（図３）は、例えば、プロセッサ（１つまたは複数）３０３、メモリ３５０、および／またはトランシーバ３０６と連動して、チャネルフィードバックを求める要求を受信し得、ここで、要求は、第２のフォーマット（例えば、ＩＥＥＥ８０２．１１ａｃフォーマットに対応し得る、レガシＶＨＴフォーマット）とは異なる第１のフォーマット（例えば、ＩＥＥＥ８０２．１１ａｘフォーマットに対応し得る、フォーマット４００のような新規のフォーマット）を示す。例えば、フィードバック報告コンポーネント３２０は、ＡＰ１ １０５−ａのようなＡＰからの要求を受信することができ、要求は、１つのフォーマット（例えば、新規のフォーマットのものであるか、またはレガシフォーマットのものであるか）を示し得る。説明されるように、一例では、要求は、ＮＤＰＡであり得、フレーム制御フィールド４２０の値、サウンディングダイアログトークン４０４中のビットインジケータ（例えば、インジケータ４１０）、ＳＴＡ情報フィールド４０６のＭＳＢ（例えば、ＡＩＤ４１８のＭＳＢ）などを使用することによって、フォーマットを示し得る。別の例では、フィードバック報告コンポーネント３２０は、レガシＳＴＡが要求を処理することを避けるために、ＡＰ１ １０５−ａが１つまたは複数のバイトを修正する場合に、説明されるように、要求のＣＲＣの１つまたは複数のバイトを修正することができ、要求が適切に受信されることを保証するためにＣＲＣを行い得る。いずれのケースでも、一例では、要求処理コンポーネント３２２は、１つまたは複数の関連するパラメータを決定するための要求をさらに処理するために、要求が新規のフォーマットのものであるか、またはレガシ（例えば、ＶＨＴ）フォーマットのものであるかを決定することができる。
【００４８】
[0054]  方法６００はまた、ブロック６０４において、要求が第１のフォーマットのものである要求（the request where the request is of the first format）から、チャネル帯域幅の一部分ついてのチャネルフィードバックを報告することに関連した１つまたは複数のパラメータを決定することを含み得る。一態様では、要求処理コンポーネント３２２は、例えば、プロセッサ（１つまたは複数）３０３および／またはメモリ３５０と連動して、要求が第１のフォーマット（例えば、新規のフォーマット）のものである要求から、チャネル帯域幅の一部分のためにチャネルフィードバックを報告することに関連した１つまたは複数のパラメータを決定し得る。説明されるように、要求処理コンポーネント３２２が、その要求が新規のフォーマット（例えば、ＮＤＰＡのフォーマット４００）のものであると決定する場合、要求処理コンポーネント３２２は、新規のフォーマットの１つまたは複数のフィールドにおいて追加のパラメータを決定することができる。
【００４９】
[0055]  例えば、ブロック６０４において、１つまたは複数のパラメータを決定することは、ブロック６０６において、チャネルフィードバックを報告するための部分帯域幅を決定することを任意で含み得る。一態様では、要求処理コンポーネント３２２は、例えば、プロセッサ（１つまたは複数）３０３および／またはメモリ３５０と連動して、チャネルフィードバックを報告するための部分帯域幅を決定し得る。例えば、要求処理コンポーネント３２２は、フォーマット４００に基づいて要求を分析し得、フォーマット４００中のフィールドとして部分帯域幅のインジケーション４２２を決定し得る。例えば、要求処理コンポーネント３２２は、インジケータ４１０において特定された始点リソースユニットインデックス４２４および／または終点リソースユニットインデックス４２６を決定し得る。別の例では、要求処理コンポーネント３２２は、（例えば、同じＡＩＤを有する）ＳＴＡ１ １１５−ａのために異なるＳＴＡ情報フィールド４０６中の部分帯域幅を決定し得る。
【００５０】
[0056]  例えば、ブロック６０４において、１つまたは複数のパラメータを決定することは、ブロック６０８において、チャネルフィードバックを報告するためのトーングループ化ファクタを決定することを任意で含み得る。一態様では、要求処理コンポーネント３２２は、例えば、プロセッサ（１つまたは複数）３０３および／またはメモリ３５０と連動して、チャネルフィードバックを報告するためのトーングループ化ファクタを決定し得る。例えば、要求処理コンポーネント３２２は、フォーマット４００に基づいて要求を分析し得、フォーマット４００中のフィールドとしてトーングループ化ファクタＮｇ４２０を決定し得る。別の例では、要求処理コンポーネント３２２は、（例えば、同じＡＩＤを有する）ＳＴＡ１ １１５−ａのために異なるＳＴＡ情報フィールド４０６中のトーングループ化ファクタを決定し得る。
【００５１】
[0057]  方法６００はまた、ブロック６１０において、１つまたは複数のパラメータに基づいてチャネルフィードバックを生成することを含み得る。一態様では、フィードバック生成コンポーネント３２４は、例えば、プロセッサ（１つまたは複数）３０３および／またはメモリ３５０と連動して、１つまたは複数のパラメータに基づいてチャネルフィードバックを生成することができる。例えば、フィードバック生成コンポーネント３２４は、ＡＰ１ １０５−ａから後に受信した通信のためのチャネルフィードバックを示すチャネルフィードバック行列を生成し得、それは、（例えば、ＮＤＰＡに対応するＮＤＰのような）チャネルフィードバックを求める要求の一部としてＡＰ１ １０５−ａによって送られたＮＤＰを含み得る。一例では、フィードバック生成コンポーネント３２４は、複数のサブキャリアおよび空間ストリームを介して、ＡＰ１ １０５−ａから受信した通信の電力、位相シフト等を測定することによって、チャネルフィードバック行列を生成することができる。例えば、フィードバック生成コンポーネント３２４は、通信のインジケータ４１０中で（例えば、始点リソースユニットインデックス４２４から開始し、終点リソースユニットインデックス４２６を通して）特定されたチャネル帯域幅の部分帯域幅を介して、電力、位相シフトなどを測定することができる。加えて、フィードバック生成コンポーネント３２４は、トーングループ化ファクタに基づくある特定のサブキャリア（例えば、部分帯域幅中のｎ番目ごとのサブキャリア）のための部分帯域幅を介して、電力、位相シフトなどの測定を報告することができ、それは、行列の列を備え得る。これは、フィードバック行列を送信する際に使用されるリソースを減少させるために、チャネルフィードバック行列などの圧縮を容易にする。さらに、フィードバック生成コンポーネント３２４は、ＮＤＰＡ中の列の数Ｎｃによって示される複数の空間ストリームに関連する列を有するチャネルフィードバック行列を生成し得る。
【００５２】
[0058]  方法６００はまた、ブロック６１２において、要求に応答してチャネルフィードバックを送信することを含み得る。一態様では、フィードバック報告コンポーネント３２０は、例えば、プロセッサ（１つまたは複数）３０３、メモリ３５０、および／またはトランシーバ３０６と連動して、要求に応答してチャネルフィードバックを送信することができる。例えば、フィードバック報告コンポーネント３２０は、説明されるように、フィードバックを要求するＡＰ１ １０５−ａにフィードバックを送信することができ、ＡＰ１ １０５−ａは、ＳＴＡ１ １１５−ａに通信をビームフォーミングするために、ステアリング行列を生成するためのチャネルフィードバック行列を処理し得る。
【００５３】
[0059]  いくつかの態様では、装置または装置の任意のコンポーネントは、本明細書に教示されるような機能を提供するように構成され得る（または動作可能であり得るまたは適応され得る）。これは、例えば、装置またはコンポーネントを、それが機能性を提供することになるように製造する（manufacturing）（例えば、作る（fabricating））ことによって、装置またはコンポーネントを、それが機能を提供することになるようにプログラミングすることによって、または何らかの他の適切な実装技法の使用を通して、達成され得る。一例として、集積回路は、必須の機能を提供するように作られ得る。別の例として、集積回路は、必須の機能をサポートするように作られ、必須の機能を提供するように（例えば、プログラミングを介して）構成され得る。さらに別の例として、プロセッサ回路は、必須の機能を提供するためのコードを実行し得る。
【００５４】
[0060]  「第１の」、「第２の」、などのような指定を用いた、本明細書中の要素へのいずれの参照も、概して、これら要素の数量または順序を制限しないことが理解されるべきである。むしろ、これらの指定は、２つ以上の要素または要素のインスタンスの間で区別する便利な方法として本明細書で使用され得る。よって、第１の要素および第２の要素への参照は、そこで２つだけの要素しか利用できないことも、何らかの方法で第１の要素が第２の要素に先行しなければならないことも、意味していない。また、別段に記載されない限り、要素のセットは、１つまたは複数の要素を備え得る。さらに、本明細書または特許請求の範囲において使用されている「Ａ、Ｂ、またはＣのうちの少なくとも１つ」、または「Ａ、Ｂ、またはＣのうちの１つまたは複数」、または「Ａ、Ｂ、およびＣから成るグループのうちの少なくとも１つ」という形態の用語は、「ＡまたはＢまたはＣまたはこれら要素の任意の組合せ」を意味する。例えば、この用語は、Ａ、またはＢ、またはＣ、あるいは、ＡおよびＢ、またはＡおよびＣ、またはＡおよびＢおよびＣ、あるいは、２Ａ、または２Ｂ、または２Ｃ、などを含み得る。
【００５５】
[0061]  当業者は、情報および信号が多種多様な技術および技法のいずれかを使用して表され得ることを理解するだろう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５６】
[0062]  さらに、当業者は、本明細書で開示される態様に関連して説明された様々な例示的な論理ブロック、モジュール、回路、およびアルゴリズムステップが電子ハードウェア、コンピュータソフトウェア、または両方の組み合わせとして実装され得ることを理解するだろう。ハードウェアとソフトウェアのこの互換性を明確に示すために、様々な例示的なコンポーネント、ブロック、モジュール、回路、およびステップについて、上記では概してそれらの機能に関して説明されている。そのような機能をハードウェアとして実装するか、ソフトウェアとして実装するかは、特定のアプリケーションおよび全体的なシステムに課される設計制約に依存する。当業者は、説明された機能を特定のアプリケーションごとに様々な方法で実装し得るが、そのような実装の決定が、説明された態様の範囲からの逸脱を引き起こすと解釈すべきではない。
【００５７】
[0063]  本明細書に開示された態様に関連して説明された方法、シーケンスおよび／またはアルゴリズムは、直接ハードウェアにおいて、プロセッサによって実行されるソフトウェアモジュールにおいて、またはそれら２つの組み合せにおいて実現され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。
【００５８】
[0064]  従って、態様は、アンライセンススペクトル中のチャネルフィードバックを要求および／または報告するための方法を実現するコンピュータ可読媒体を含むことができる。従って、本明細書で説明される態様は、例示された例に制限されるものではない。
【００５９】
[0065]  前述の説明は例示的な態様を示すが、添付の特許請求の範囲によって定義されるような本開示の範囲から逸脱することなく、本明細書において様々な変更および修正が行われることができることに留意されたい。本明細書で説明された態様に従った方法の請求項の機能、ステップ、および／またはアクションは、特定の順序で実施される必要はない。さらに、ある特定の態様は、単数形で説明または特許請求され得るが、単数形への限定が明記されていない限り、複数形が考慮されている。
【図１】
2019517177.tif 000003
【図２】
2019517177.tif 000004
【図３】
2019517177.tif 000005
【図４】
2019517177.tif 000006
【図５】
2019517177.tif 000007
【図６】
2019517177.tif 000008
【国際調査報告】
2019517177.tif 000009
2019517177.tif 000010
2019517177.tif 000011